(57)【要約】【課題】証拠の改ざんが行われた場合に発覚しやすいという効果を維持しつつ、必要に応じて採取した指紋をその指紋に関する情報とともに確実に取り込むことができる。【解決手段】鑑定用粘着シートは、粘着剤層（１ｂ）を片面に有する支持体（１）と、前記粘着剤層に剥離および再貼付可能に接着されているカバー基材（２）と、を有し、前記カバー基材には、当該カバー基材を前記支持体から片持ち状に剥離可能とするようにカット部（２ｃ）が形成され、少なくとも前記カバー基材の片持ち状に剥離可能となる領域は透明であり、前記カバー基材において、前記カバー基材の片持ち状に剥離可能となる前記領域の外側に記入欄（５）が設けられている。【選択図】図１
2020116264.tif 000002
【特許請求の範囲】
【請求項１】
粘着剤層を片面に有する支持体と、
前記粘着剤層に剥離および再貼付可能に接着されているカバー基材と、
を有し、
前記カバー基材には、当該カバー基材を前記支持体から片持ち状に剥離可能とするようにカット部が形成され、少なくとも前記カバー基材の片持ち状に剥離可能となる領域は透明であり、
前記カバー基材において、前記カバー基材の片持ち状に剥離可能となる前記領域の外側に記入欄が設けられていることを特徴とする鑑定用粘着シート。
【請求項２】
前記カバー基材において、前記カバー基材の片持ち状に剥離可能となる前記領域は四辺形状であり、四辺形状の前記領域の３辺は前記カット部２ｃによって形成され、四辺形状の前記領域の残りの１辺は前記カバー基材を断続的に貫通するミシン部によって形成されていることを特徴とする、請求項１に記載の鑑定用粘着シート。
【請求項３】
前記カバー基材の四辺形状の前記領域において、前記カット部と前記ミシン部との境となる四辺形の角には、円弧状の切り込みである返しが設けられていることを特徴とする、請求項２に記載の鑑定用粘着シート。
【請求項４】
前記カバー基材において、前記カバー基材の外周のエッジと前記カバー基材の四辺形状の前記領域との間には幅の細い枠が存在し、前記枠に切れ目が入れられていることを特徴とする、請求項２または３に記載の鑑定用粘着シート。
【請求項５】
前記カバー基材は、
透明基材と、
前記透明基材の前記支持体側の面に設けられた剥離剤層と、
を備え、
前記透明基材の前記支持体とは反対側の面には剥離剤層が設けられていないことを特徴とする、請求項１から４のいずれか１項に記載の鑑定用粘着シート。
【請求項６】
前記支持体の前記カバー基材が接着されている面の反対側において、カーボンを含有した墨印刷層および帯電防止ニス層が設けられていることを特徴とする、請求項１から５のいずれか１項に記載の鑑定用粘着シート。
【発明の詳細な説明】
【技術分野】
【０００１】
本発明は、主に指紋の採取に使用するための鑑定用粘着シートに関する。より詳しくは、指紋を採取した後に、証拠となる鑑定用粘着シートの改ざんを防止しつつ、必要に応じて採取した指紋をその指紋に関する情報とともに確実に取り込むことのできる鑑定用粘着シートに関する。
【背景技術】
【０００２】
従来、指紋等の採取に使用するための鑑定用粘着シートとしては、例えば支持体の一方の面（裏面）に指紋を採取し、反対側の面（表面）に事件番号や採取日時等の記入欄が設けられているようなものが知られている（例えば、特許文献１参照）。
【０００３】
特許文献１の鑑定用粘着シートは、支持体に設けられている指紋を採取する粘着層の反対側に事件番号や採取日時等の記入欄（表面記入欄）が設けられている。そのため、記入欄は常に支持体と一体化しており、支持体と記入欄とは分離できない。そのため、支持体の記入欄の部分のみを切って張り替える等の手荒なことをしない限り証拠の改ざんはできないし、そのようなことすれば証拠が改ざんされたことが発覚するので効果的ではある。
【先行技術文献】
【特許文献】
【０００４】
【特許文献１】特開２００７−１８１５９９号公報
【発明の概要】
【発明が解決しようとする課題】
【０００５】
指紋採取後に、鑑識用粘着シートに採取された指紋をスキャニングして指紋を取り出すことが必要になった際、取り出す指紋と記入欄に記載された情報とを対応させる必要がある。このような場合、特許文献１の鑑識用粘着シートでは、裏面の指紋をスキャニングした後、シートをひっくり返して表面の記入欄を再度スキャニングする必要があるため手間がかかる。またスキャニング作業において指紋と記入欄とを対応させる際、組み合わせを間違えてしまうことも考えられる。
【０００６】
これに対して最近では、１回の走行で原稿の両面をスキャンできる機械も実用化されている。特許文献１の鑑識用粘着シートでは、指紋を採取する位置が粘着剤層の略中央であると想定され、指紋との重なりを防止するために表面記入欄は周縁部に設けられていると考えられる。その場合、指紋の採取位置が略中央からずれて表面記入欄の真裏に重なってしまうと、両面スキャンできる装置でスキャンしたとしても、表裏で指紋と記入欄が重なっているため指紋のみをスキャンできず、確実に指紋を取り出すことが困難となることが考えられる。
【０００７】
そこで本発明は、証拠の改ざんが行われた場合に発覚しやすいという効果を維持しつつ、表裏で指紋と記入欄が重なることを防ぎ、必要に応じて採取した指紋をその指紋に関する情報とともに確実に取り込むことのできる鑑識用粘着シートを提供することを目的とする。
【課題を解決するための手段】
【０００８】
上記課題を解決するために、本発明の一態様に係る鑑定用粘着シートは、粘着剤層を片面に有する支持体と、前記粘着剤層に剥離および再貼付可能に接着されているカバー基材と、を有し、前記カバー基材には、当該カバー基材を前記支持体から片持ち状に剥離可能とするようにカット部が形成され、少なくとも前記カバー基材の片持ち状に剥離可能となる領域は透明であり、前記カバー基材において、前記カバー基材の片持ち状に剥離可能となる前記領域の外側に記入欄が設けられていることを特徴とする。
【０００９】
前記カバー基材において、前記カバー基材の片持ち状に剥離可能となる前記領域は四辺形状であり、四辺形状の前記領域の３辺は前記カット部２ｃによって形成され、四辺形状の前記領域の残りの１辺は前記カバー基材を断続的に貫通するミシン部によって形成されていてもよい。
【００１０】
前記カバー基材の四辺形状の前記領域において、前記カット部と前記ミシン部との境となる四辺形の角には、円弧状の切り込みである返しが設けられていてもよい。
【００１１】
前記カバー基材において、前記カバー基材の外周のエッジと前記カバー基材の四辺形状の前記領域との間には幅の細い枠が存在し、前記枠に切れ目が入れられていてもよい。
【００１２】
前記カバー基材は、透明基材と、前記透明基材の前記支持体側の面に設けられた剥離剤層と、を備え、前記透明基材の前記支持体とは反対側の面には剥離剤層が設けられていなくてもよい。
【００１３】
前記支持体の前記カバー基材が接着されている面の反対側において、カーボンを含有した墨印刷層および帯電防止ニス層が設けられていてもよい。
【発明の効果】
【００１４】
本発明の各態様に係る鑑定用粘着シートによれば、証拠の改ざんが行われた場合に発覚しやすいという効果を維持しつつ、表裏で指紋と記入欄が重なることを防ぎ、必要に応じて採取した指紋をその指紋に関する情報とともに確実に取り込むことができる。
【図面の簡単な説明】
【００１５】
【図１】本発明の実施形態に係る鑑定用粘着シートの断面図である。
【図２】本発明の実施形態に係る鑑定用粘着シートの平面図の一例である。
【発明を実施するための形態】
【００１６】
以下、本発明の実施形態について図面を参照しながら説明する。図１は本発明の実施形態に係る鑑識用粘着シートの一形態を示す断面図であり、図２は本発明の実施形態に係る鑑識用粘着シートの平面図の一例である。図１の（ａ）は使用前（指紋押捺前）に鑑識用粘着シートカバー基材が閉じられている状態を示し、図１の（ｂ）は指紋採取時にカバー基材を開いた状態を示し、図１の（ｃ）は指紋押捺後にカバー基材を閉じた（封緘した）状態を示す。
【００１７】
本実施形態の鑑識用粘着シートは、図１（ａ）に示すように、透明基材１ａとその表面（上面）に設けられた透明粘着剤層１ｂを備えた支持体１と、透明基材２ｂとその裏面（下面）に設けられた剥離剤層２ａを備えたカバー基材２とを有する。カバー基材２の剥離剤層２ａが支持体１の透明粘着剤層１ｂに剥離および再貼付可能に接着されている。
【００１８】
透明基材１ａの裏側（下側）には、墨印刷層３と帯電防止ニス層４とを設けている。墨印刷層３は、透明基材１ａの裏面上に、カーボンを含有した墨を塗った（印刷した）層である。カーボンを含有することで帯電防止の効果があり、複数の鑑識用粘着シートを重ねて保管した場合にシート同士が離れにくくなるのを防止する、あるいはごみの付着を防止することができる。帯電防止ニス層４はなくてもよいが、さらに帯電防止ニス層４を設けることで帯電防止の効果が高めることができる。さらに透明基材２ｂにも帯電防止機能を備えると、複数の鑑定用粘着シートが重なった時に離れやすくなるので尚好ましい。なお、墨印刷層３は採取した指紋６を見えやすくする効果も兼用している。
【００１９】
透明粘着剤層１ｂは感圧性粘着剤等からなり、カバー基材２が支持体１から剥離されると図１（ｂ）のように透明粘着剤層１ｂが表出する。透明粘着剤層１ｂの表出した部分に人間の指等を当てることで、感圧性粘着剤等が指紋等の凹凸に良好に追従して、指紋等を採取することができる。
【００２０】
透明基材１ａおよび透明基材２ｂとしては、例えばポリエチレンテレフタレートフィルム等のポリエステルフィルムが使用できる。透明基材１ａおよび透明基材２ｂは、指紋等の判別が可能な程度の透明性を有していればよいが、透明性が高いほど、指紋等の判別性が向上するため好ましい。なお、少なくともカバー基材２の透明基材２ｂのうち、後述の片持ち状に剥離可能となる領域（切り込み部２１）が透明であればよい。
【００２１】
図１及び図２に示すように、カバー基材２には四辺形状の切り込み部２１が形成されている。切り込み部２１の３辺はカバー基材２（透明基材２ｂおよび剥離剤層２ａ）を連続的に貫通するカット部（カット線）２ｃによって形成され、切り込み部２１の残りの１辺はカバー基材２（透明基材２ｂおよび剥離剤層２ａ）を断続的に貫通するミシン部（ミシン線）２ｄによって形成されている。すなわち、カット部２ｃは、コの字状の切り込みである。
【００２２】
切り込み部２１においてカット部２ｃから手などでカバー基材２を持ち上げるようにして（片持ち状に）支持体１から剥離することができる。すなわち、図１（ｂ）のように、カット部２ｃの３辺に囲まれたカバー基材２を支持体１から剥離して捲り上げると、ミシン部２ｄの１辺においてカバー基材２と支持体１とが繋がった状態で、四辺形状の切り込み部２１の透明粘着剤層１ｂを表出させることができる。これにより、支持体１から剥離したカバー基材２を手などで持った状態（片持ち状）で、指紋等を採取することができる。
【００２３】
なお、ミシン部２ｄは、カバー基材２を支持体１から剥離して捲り上げると、簡単には元に戻らず、剥離して捲り上げた状態（図１（ｂ）の状態）をできるだけ維持できるように構成されている。
【００２４】
カバー基材２のミシン部２ｄの外側（図１では左方、図２では上方）には、記入欄５が設けられている。記入欄５は、例えば、事件名、被害者名、採取者名、協力者名等の指紋に関する情報を表示するための表示欄である。記入欄５は、白インキ層５１とその上に塗られた筆記用ニス層５２および墨層（印刷層）５３などから構成される。白インキ層５１は白ベタ印刷で形成されている。筆記用ニス層５２は、ペン７などを用いて情報を書くことができる構成になっており、情報が記載される領域のみに設けられている。
【００２５】
本実施形態の鑑定用粘着シートで指紋を採取する流れとしては、上述のように、カット部２ｃにより囲まれたカバー基材２を捲り上げ、表出した透明粘着剤層１ｂに指等を当てて指紋６を採取した後、カバー基材２を元に戻し（再度貼り合わせ）、記入欄５に該当する事件名、被害者、採取者、協力者等の指紋に関する情報を記入すれば良い。
【００２６】
この時、指紋の採取のため透明粘着剤層１ｂの上に指を押し当てる協力者が、片持ち状にカバー基材が開いているいずれの部分に指を押し付けたとしても、採取された指紋６が記入欄５と重なることはない。そのため、後で採取指紋６をスキャニングする際、確実に採取指紋６をスキャニングすることができる。
【００２７】
また、透明基材２ｂ側からのみスキャニングすれば、記入欄５と採取指紋６をセットでスキャニングできるため、片面のみしかスキャニングできない装置であっても、スキャニング作業において採取指紋６と記入欄５の情報の対応を間違えることはない。
【００２８】
なお、図２に示すように、一般的には、カバー基材２には四辺形状の切り込み部２１が複数形成され、複数の切り込み部２１の各々に異なる指の指紋が対応する。また、四辺形状の切り込み部２１の３辺は、必ずカット部２ｃによって形成されており、そのため、カバー基材２の外周のエッジとカット部２ｃとの間には、幅の細い枠２２が必然的に存在する。
【００２９】
また、各切り込み部２１において、カット部２ｃとミシン部２ｄとの境となる四辺形の角には、円弧状の切り込みである返し２３が設けられている。これにより、力を入れ過ぎてカット部２ｃからさらに上方にカバー基材２が切れてしまうのを防ぐ。返し２３の切り込みは四辺形の角から外側および内側（左側および右側）のどちらに向かって設けられていてもよい。
【００３０】
本実施形態の鑑識用粘着シートでは、支持体１とカバー基材２とは剥離および再貼付可能に接着されている。そして、記入欄５はカバー基材２にあるため、支持体１に指紋６を採取した後でカバー基材２を剥がして他の指紋を採取した別の支持体１にきれいに貼り替えることができれば、実際に指紋をもらった協力者と記入欄５に記載された協力者とを一致させないといった証拠改ざんをすることが理論上はできる。
【００３１】
しかし、カバー基材２には片持ち状に切り込み（カット部２ｃ）が入っているため、カバー基材２を支持体１から半分程度剥がすと、カット部２ｃで囲まれた部分がフリーとなり、その回りの面（カット部２ｃの外側の面）とバラバラになってしまい、カット部２ｃの内側の面と外側の面を面一にさせることは困難である。
【００３２】
さらに、カバー基材２を別の支持体１に再貼り付けするには、カバー基材２のカット部２ｃの内側の面と外側の面とを合わせた状態で（少なくとも、カバー基材２のカット部２ｃの内側の面と外側の面に隙間がないように維持した状態で）、カバー基材２の外周のエッジを支持体１の外周のエッジに合わせて貼り付けする必要がある。しかしこのような作業は、事実上、非常に困難である。
【００３３】
なお、仮に、カバー基材２の外側の面と内側の面との間に隙間ができてしまうと、カバー基材２のエッジと支持体１のエッジは合うことはない。つまり、隙間がない状態を保持しつつエッジを合わせないと貼り代え前の状態には戻らず、これは事実上非常に困難な作業である。
【００３４】
特に、幅の細い枠２２は、いったん剥がすと平面形状を維持せずに丸まってしまいやすく、再貼り付けすることは難しい。また、力の入れる方向や強さによっては、返し２３の切り込みを起点としてカバー基材２が切れてしまう可能性が高く、切れてしまうと元の状態に復元することは不可能である。
【００３５】
また、剥離剤層２ａは、透明基材２ｂの裏面（下面、支持体１側）にのみ設けられており、透明基材２ｂの表面には設けられていない。そのため、上述のカバー基材２を別の支持体１に貼り替える不正を行う際に、透明基材２ｂの表面に透明粘着剤層１ｂが触れると強く接着（粘着）してしまい、きれいに剥がすことが難しい。
【００３６】
このように、本実施形態の鑑識用粘着シートは、記入欄５がカバー基材２の表側（指紋の採取面側）にありながら事実上証拠の改ざんができない。また、切り込み部２１を片持ち状に開いた部分に透明粘着剤層１ｂが表出し、透明粘着剤層１ｂが表出した部分の外側に記入欄５があるため、透明粘着剤層１ｂのどの部分で指紋６を採取したとしても、採取指紋６と記入欄５が重なることがない。そのため、後で確実に採取指紋６をスキャニングできる。さらに本実施形態の鑑識用粘着シートは、表側（指紋の採取面側）から一回スキャニングすれば、採取指紋６と記入欄５とを一度にスキャニングできる。そのため、採取指紋６と記入欄５の組み合わせを間違えることがない。
【００３７】
また、本実施形態の鑑識用粘着シートは支持体１とカバー基材２とから構成され、指紋採取前（使用前）の粘着剤層を保護する上質紙や、保護シートなどは不要である。また、指紋採取前および指紋採取後（使用後）において、支持体１とカバー基材２とは全面が粘着剤を介して密着した状態である。そのため、一部のみが接着剤で留められた保護シートなどが浮いてしまって別のシートなどを挟んだり、保護シートが折れたり取れてしまってシート自体を使用できなくなることがない。
【００３８】
また、本実施形態の鑑識用粘着シートでは、指紋採取部分において、カバー基材２をいったん支持体１から剥離して指紋採取後、カバー基材２を元に戻して採取指紋６を保護する。そのため、指紋採取前の粘着剤層を保護する上質紙などは不要であり、この粘着剤層を保護する上質紙などを指紋採取後に破棄する無駄もない。指紋採取前の粘着剤層を保護する上質紙などを破棄することがないため、指紋採取後に、上質紙が残っている部分と指紋採取部分（上質紙を破棄した部分）との段差が生じることがない。そのため、支持体１とカバー基材２との間に空気が入ることを防ぐことができ、隙間が生じにくいため採取指紋６が見えやすい。
【００３９】
本明細書において「前、後ろ、上、下、右、左、垂直、水平、縦、横、表および裏」などの方向を示す言葉は、本発明の物品におけるこれらの方向を説明するために使用している。従って、本発明の明細書を説明するために使用されたこれらの言葉は、本発明の物品において相対的に解釈されるべきである。
【００４０】
以上、本発明の好ましい実施形態を説明したが、本発明はこれら実施形態およびその変形例に限定されることはない。本発明の趣旨を逸脱しない範囲で、構成の付加、省略、置換、およびその他の変更が可能である。
【００４１】
例えば、枠２２に切れ目２４を入れてもよい。そうすれば、枠２２の部分を剥がそうとする不正を行った場合に、枠２２が切れていまい、元の状態に復元できなくなる。
【００４２】
また、上述の実施形態では指紋を採取する例を説明したが、本発明の粘着シートの用途は指紋の採取に限定されない。例えば、本発明の粘着シートを、現場の遺品物（髪の毛など）の採取に用いることもできる。
【符号の説明】
【００４３】
１…支持体、１ａ…透明基材、１ｂ…透明粘着剤層、２…カバー基材、２ａ…剥離剤層、２ｂ…透明基材、２ｃ…カット部、２ｄ…ミシン部、３…墨印刷層、４…帯電防止ニス層、５…記入欄、２１…切り込み部（カバー基材の片持ち状に剥離可能となる領域、四辺形状の領域）、２２…枠、２３…返し、２４…切れ目、５１…白インキ層、５２…筆記用ニス層、５３…墨層、６…採取指紋、７…ペン
【図１】
2020116264.tif 000003
【図２】
2020116264.tif 000004